(57)【特許請求の範囲】
【請求項１】
浮力を有し、
岸から内陸に向かって高くなる斜面に沿って、低い方から高い方へと移動可能である
ことを特徴とする避難装置。
【請求項２】
前記斜面又は当該避難装置のうちいずれか一方に設けられ、当該斜面の低い方から高い方に向かって延びる案内部材と、
前記斜面又は当該避難装置のうちの他方に設けられ、前記案内部材が嵌る溝と
を備え、
当該避難装置は前記案内部材が延びる方向に移動可能である
ことを特徴とする請求項１に記載の避難装置。
【請求項３】
人が避難する空間を内部又は上部に備える
ことを特徴とする請求項１または２に記載の避難装置。
【請求項４】
浮力があるフロート部を下方に有する
ことを特徴とする請求項１乃至３のいずれか一項に記載の避難装置。
【請求項５】
満潮時の水面が静穏の状態のときに、当該避難装置が移動可能な範囲の下限に位置している
ことを特徴とする請求項１乃至４のいずれか一項に記載の避難装置。
【発明の詳細な説明】
【技術分野】
【０００１】
本発明は、避難装置に関する。
【背景技術】
【０００２】
津波が発生した場合、沿岸付近の住民は危険にさらされる。津波の規模が大きいと、時には甚大な被害が生じる。津波の発生が予測される場合、沿岸付近の住民は、一刻も早く沿岸から離れ、津波を回避できる内陸側の高台に避難する必要がある。しかし、高台が沿岸から数キロメートル内陸側にあって沿岸から遠い場合、高齢者や脚の不自由な人が速やかに高台に避難することは困難である。そこで、沿岸付近の住民が速やかに避難することが可能なフロート型の津波避難所がいくつか考案されている。特許文献１には、浮力により地中に打ち込まれた支柱に沿って上昇する津波避難所が記載されている。
【先行技術文献】
【特許文献】
【０００３】
【特許文献１】特開２００６−１１２０８９号公報
【発明の概要】
【発明が解決しようとする課題】
【０００４】
しかし、現実には、特許文献１に記載されたフロート型の津波避難所が浮力によって浮き上がり津波を回避することは難しい。なぜなら、津波は海岸に近づくと急激に波高を増し、大きくなることから、津波避難所にはそれを上回る高さの水が押し寄せ、津波避難所は浮力で浮き上がる以前に津波に飲まれてしまうからである。
【０００５】
そこで、本発明は、水平方向の水の力と浮力を利用して浮上することが可能な避難装置を提供することを目的とする。
【課題を解決するための手段】
【０００６】
本発明は、浮力を有し、岸から内陸に向かって高くなる斜面に沿って、低い方から高い方へと移動可能であることを特徴とする避難装置を提供する。本発明によれば、水平方向の水の力と浮力により、避難装置が高い方向に向かって移動することが可能となる。
【０００７】
また、前記斜面又は当該避難装置のうちいずれか一方に設けられ、当該斜面の低い方から高い方に向かって延びる案内部材と、前記斜面又は当該避難装置のうちの他方に設けられ、前記案内部材が嵌る溝とを備え、当該避難装置は前記案内部材が延びる方向に移動可能であってもよい。このようにすれば、避難装置が漂流することを回避することができる。
【０００８】
また、人が避難する空間を内部又は上部に備えていてもよい。このようにすれば、避難装置が人を収容することができる。
【０００９】
また、浮力があるフロート部を下方に有するようにしてもよい。このようにすれば、フロート部が避難装置全体を浮き上がらせる土台になる。
【００１０】
また、満潮時の水面が静穏の状態のときに、当該避難装置が移動可能な範囲の下限に位置していてもよい。このようにすれば、避難装置は、平常時に移動可能な範囲の下限にあるので、水が押し寄せてきたときに移動可能な範囲を大きく確保することができる。
【発明の効果】
【００１１】
本発明によれば、水平方向の水の力と浮力を利用して浮上することが可能になる。
【図面の簡単な説明】
【００１２】
【図１】避難装置の概略を示す図である。
【図２】避難装置のｘ軸を法線方向とする断面図である。
【図３】案内部材のｙ軸を法線方向とする断面図である。
【図４】津波到達時の避難装置の移動を示す図である。
【発明を実施するための形態】
【００１３】
図１は、本発明の一実施形態に係る避難装置１０の概略を示す図である。避難装置１０は、岸付近の住民または岸付近にいる人が、例えば津波、異常潮位、高潮または洪水などの、水による被害を回避するために一時的に避難する場所である。特に本実施形態において、避難装置１０は、海岸沿いの斜面Ｓに設けられる。斜面Ｓは、海水面から遠ざかる方向（つまり海岸から内陸の方向）に向かって高くなる面であり、例えばコンクリートにより造られる。ｘ軸は海岸線に沿った方向を、ｙ軸は海水面から遠ざかる方向を、ｚ軸は鉛直上向きを示す。
【００１４】
図２は、避難装置１０の、ｘ軸を法線方向とする断面図である。避難装置１０は、斜面Ｓにおいて低い方から高い方へまたは高い方から低い方へと双方向に移動可能であり、波による水平方向の力を受けたときには斜面Ｓの低い方から高い方へと移動する。すなわち、避難装置１０の密度は水（純水または海水）よりも小さい。さらに、避難装置１０には定員（収容人数の設計値）が設定されており、定員分の体重を含めて避難装置１０の密度は水よりも小さくなっている。避難装置１０は、前面１０１、背面１０２、側面１０３、底面１０４、中面１０５ａおよび上面１０５を有する。前面１０１および背面１０２は、ｘｚ平面に平行な矩形の面である。前面１０１は、避難装置１０が移動する方向に平行でなく、より望ましくは、避難装置１０が移動する方向に垂直である。前面１０１が向く方向については、津波の到達方向（卓越方向）を事前に調査しておき、前面１０１が津波を受ける方向に向くように避難装置１０を設置するのが望ましい。この前面１０１は、海から内陸に向かってくる波を受ける面として機能する。背面１０２は、内陸に近い面である。避難装置１０の下方の部分には、２つの側面１０３（図１）がある。底面１０４は、斜面Ｓに面する矩形の面である。中面１０５ａ及び上面１０５は、いずれもｘｙ平面に平行な矩形の面である。これら７つの面により、避難装置１０には、人が避難するための空間（以下、避難エリアという）が形成されている。避難エリアは、上面１０５の上の避難エリアと、中面１０５ａの上の避難エリアと、２つの側面１０３及び底面１０４によって囲まれた避難装置１０の内部避難エリアである。中面１０５ａの上の避難エリアには、斜面Ｓから背面１０２のハッチ１１０を通じて人が入れるようになっている。上面１０５の上の避難エリアや、中面１０５ａの上の避難エリアは、外部空間に通じているので、屋外のユーティリティ避難エリアとしても活用できる。避難装置１０の内部避難エリアには、中面１０５ａの上の避難エリアから、中面１０５ａに設けられたハッチ１１３を通じて人が入れるようになっている。ハッチ１１３から内部避難エリアへと緩やかなスロープになっているので、例えば高齢者や車椅子に乗っている人でも容易にこの内部避難エリアに入ることが可能である。避難する人は、必要に応じて、自身が避難する避難エリアを選択する。
【００１５】
避難装置１０は、筐体１１と、筐体１１の下に重なる筐体１２とによる二段で構成される。筐体１１は直方体であり、筐体１２は三角柱である。筐体１１および筐体１２は、津波の衝撃に耐え得る機械的な強度の強い素材、例えば、鉄筋コンクリートおよび鋼などの材料で造られる。筐体１２は、上述の材料に加えて、合成樹脂などの水よりも密度の小さい材料を使い、避難装置１０が定員を含んだ全体として水よりも小さい密度になるように造られる。このような構造上の違いにより、筐体１２の密度は、筐体１１の密度に比べて小さくなっており、筐体１２は、より大きな浮力を有するフロート部として機能する。つまり、避難装置１０は、浮力があるフロート部を下方に有する構造になっている。避難装置１０は、満潮時の水面が静穏の状態のときに、少なくとも筐体１１が海水面よりも高い位置にくるように、斜面Ｓに設置される。避難装置１０が斜面Ｓに設置された状態で、筐体１２は水に浸かっている。従って、避難装置１０には、筐体１１の重さによる力と、筐体１２が浮き上がる力とが働いている。避難装置１０は、海水面から上面１０５までの高さｈが、事前に予測される津波の高さを超えるように設計される。
【００１６】
案内部材２０は、津波を受けた避難装置１０が移動する方向を案内する部材である。案内部材２０は、例えば、鋼で造られたレールであり、斜面Ｓの低い方から高い方に向かって延びた状態で斜面Ｓに固定される。
【００１７】
図３は、案内部材２０周辺の、ｙ軸を法線方向とする断面図である。図３（Ｃ）に示すように、案内部材２０は、頭部２０１、底部２０２、および腹部２０３を有する。頭部２０１は、避難装置１０を支え、避難装置１０の移動を円滑に誘導する。底部２０２は、案内部材２０の基底となる部分であり、斜面Ｓに固定される。底部２０２は、コンクリートの斜面Ｓに埋め込まれている。腹部２０３は、頭部２０１と底部２０２とを繋ぐ部分である。
【００１８】
図３（Ｂ）に示すように、避難装置１０の底面１０４には、案内部材２０が嵌る溝１０７が設けられている。溝１０７は、ｙ軸を法線方向とする断面がアルファベットの「Ｔ」の形状をしている。溝１０７は、底面１０４において、前面１０１側から背面１０２側に向かって延びるように設けられている。この溝１０７に、図３（Ａ）に示すように、案内部材２０の頭部２０１および腹部２０３が嵌る。これにより、避難装置１０が移動する方向は斜面Ｓの低い方から高い方に規制される。
【００１９】
再び図２を参照する。斜面Ｓの低い方から高い方に向かう方向において、溝１０７の長さは、案内部材２０の長さよりも長い。したがって、避難装置１０は、案内部材２０が溝１０７に嵌った状態で、斜面Ｓに沿った方向に移動する。溝１０７は、前面１０１および背面１０２に到達しない範囲で、底面１０４に設けられている。このように溝１０７の長さに限りがあることにより、案内部材２０と溝１０７とが嵌り合って、避難装置１０が案内部材２０から離れない構造になっている。すなわち、溝１０７と案内部材２０とは、避難装置１０が移動する方向を規制するだけでなく、避難装置１０が斜面Ｓから離れないようにする手段としても機能する。溝１０７の両端には、緩衝部材１０８が設けられる。溝１０７の前面１０１側の端部には緩衝部材１０８ａが設けられ、背面１０２側の端部には緩衝部材１０８ｂが設けられる。緩衝部材１０８は、例えばゴムや樹脂などであり、溝１０７の端部と案内部材２０とが接触したときの衝撃を和らげる。満潮時の水面が静穏の状態のとき、案内部材２０は、溝１０７の背面１０２側の端部と接する位置にある。つまり、このとき、避難装置１０は、自身が移動可能な範囲の下限に位置していることになる。
【００２０】
ローラー３０は、避難装置１０と斜面Ｓとの摩擦を低減し、避難装置１０が斜面Ｓに沿って移動するのを補助する部材である。ローラー３０は、例えば、鋼で造られる。ローラー３０は、案内部材２０に沿った方向に回転するように、斜面Ｓに取り付けられる。ローラー３０は、少なくとも円周の一部が斜面Ｓから突出し底面１０４に接するように取り付けられる。ローラー３０は、案内部材２０に沿った方向に複数並べられる。ローラー３０は、案内部材２０を基準として、ｘ軸方向の手前と奥に一列ずつ並べられてもよいし、複数列並べられてもよい。
【００２１】
上面１０５には、避難ハウス１０９が設けられる。避難装置１０に避難する人は、まず、背面１０２に設けられたハッチ１１０から避難装置１０の内部に避難する。避難装置１０の内部には、上面１０５へと続く昇降設備としての避難階段１１１が設けられる。避難階段１１１は、避難ハウス１０９の内部へと繋がっている。
【００２２】
避難装置１０は、支柱１１２により機械的強度が高められている。支柱１１２は、上面１０５から鉛直方向に内部避難エリアへと避難装置１０を貫いている。支柱１１２の内部は、螺旋階段などの昇降設備になっている。避難階段１１１とは別に、支柱１１２が、避難装置１０の内部と上面１０５とを連絡する昇降設備になることで、より多くの人が一斉に上面１０５に避難することが可能になる。
【００２３】
図４は、例えば津波が到達したときの避難装置１０の移動を示す図である。ここでは、ローラー３０、避難ハウス１０９、避難階段１１１、および支柱１１２などの図示は省略する。図４（Ａ）、（Ｂ）および（Ｃ）は、津波の到達を時間の経過に従って示している。図４において、津波の進行方向は、ｙ軸正方向である。津波が到達し、避難装置１０に衝突すると、図４（Ｂ）に示すように、津波のｙ軸正方向への力Ｆは、斜面Ｓの低い方から高い方への力Ｆ１、および斜面Ｓに垂直な方向の力Ｆ２に分散する。そのため、津波は、避難装置１０を、斜面Ｓの低い方から高い方（矢印Ａの方向）に向かって移動させる。このように避難装置１０は、津波の水平方向の力を利用して移動するため、波高を増した津波が押し寄せた場合であっても、津波に飲まれるのを回避することができる。また避難装置１０が移動して、図４（Ｃ）に示すように、案内部材２０が緩衝部材１０８ａと接する状態になると、避難装置１０はそれ以上高い方向に移動しなくなる。このように避難装置１０の可動範囲が溝１０７と案内部材２０とで制限されていることにより、避難装置１０が津波により漂流して、他の建造物および漂流物等に接触する危険が回避される。津波が引くときには、避難装置１０は再び図４（Ａ）に示した状態に戻る。避難装置１０が移動して、図４（Ａ）に示すように、案内部材２０が緩衝部材１０８ｂと接する状態に戻ると、避難装置１０はそれ以上低い方向に移動しなくなる。可動範囲に制限があることにより、避難装置１０は引き波にさらわれることも回避することができる。
【００２４】
＜変形例＞
本発明は、上述の実施形態に限定されるものではなく、種々の変形実施が可能である。以下、変形例をいくつか説明する。以下で説明する変形例のうち、２つ以上のものが組み合わされて用いられても良い。
【００２５】
（変形例１）
避難装置１０の形状は、筐体１１と筐体１２とによる二段構成に限らない。避難装置１０は、一段で構成されていてもよいし、３つ以上の筐体により構成されていてもよい。また、別の例で、筐体１１と筐体１２の形状は実施形態に記載したものに限らない。例えば、上述の実施形態においては筐体１２が五面体である例を示したが、筐体１２は六面体であってもよい。筐体１２の側面は三角形に限らない。また、前面１０１、背面１０２、底面１０４、中面１０５ａおよび上面１０５は矩形に限らない。さらに、別の例で、避難装置１０は、球体、卵形、または湾曲した面を有する形状であってもよい。避難装置１０の高さｈは、津波の高さを基準に定められる場合に限らない。
【００２６】
（変形例２）
案内部材２０は、レールに限らない。案内部材２０は、規制部分と嵌ることにより筐体を案内する部材であれば、レール以外であってもよい。
また別の例で、案内部材２０は、底面１０４に固定されてもよい。この場合、溝１０７は、斜面Ｓに設けられる。
さらに別の例で、斜面Ｓに固定される案内部材２０は１つに限らない。斜面Ｓには、複数の案内部材２０が固定されてもよい。複数の案内部材２０は、いずれも斜面Ｓの低い方から高い方に向かって延びた状態で平行に固定される。この場合、避難装置１０の底面１０４には、複数の案内部材２０が嵌る溝１０７が複数設けられる。
【００２７】
（変形例３）
ローラー３０が並べられる方向は、案内部材２０に沿った方向に限らない。ローラー３０は、案内部材２０に沿った方向に回転するように取り付けられれば、いかなる方向に並べられてもよい。例えば、ローラー３０は、ｘ軸に沿って並べられてもよい。
【００２８】
（変形例４）
斜面Ｓの傾斜及び底面１０４は、一定である場合に限らない。避難装置１０の移動を妨げない範囲であれば、斜面Ｓの傾斜にばらつきがあってもよい。
【００２９】
（変形例５）
避難装置１０の用途は、津波回避に限らない。避難装置１０は、例えば、異常潮位、高潮または洪水を回避するために用いられてもよい。避難装置１０の設置場所は海岸沿いに限られず、例えば、湖岸または河岸に設けられてもよい。
【００３０】
（変形例６）
避難装置１０の内部構造は、実施形態に記載したものに限らない。例えば、避難装置１０の内部には、避難エリアよりも更に安全な避難シェルターが設けられていてもよい。この場合、避難シェルターは、支柱１１２に接して設けられることが望ましい。また、別の例で、避難装置１０の内部には備蓄庫が設けられていてもよい。
【符号の説明】
【００３１】
１０…避難装置、１０１…前面、１０２…背面、１０３…側面、１０４…底面、１０５…上面、１１，１２…筐体、１０７…溝、１０８…緩衝部材、１０９…避難ハウス、１１０…ハッチ、１１１…避難階段、１１２…支柱、１１３…ハッチ、２０…案内部材、２０１…頭部、２０２…底部、２０３…腹部、３０…ローラー
【図１】
0005912822.tif 000002
【図２】
0005912822.tif 000003
【図３】
0005912822.tif 000004
【図４】
0005912822.tif 000005